【事件の表示】
　特許第２８４６６３２号「冷蔵庫」の請求項１乃至３に係る特許に対する特許異議の申立てについて、次のとおり決定する。
【結　論】
　特許第２８４６６３２号の請求項１乃至３に係る特許を維持する。
【理　由】
１．手続の経緯
　
　本件特許第2846632号に係る出願は、平成7年6月14日に出願した特願平7-147075号の一部を平成9年8月22日に新たな特許出願としたものであって、平成10年10月30日に特許の設定登録がなされ、その後、株式会社富士通ゼネラルから特許異議の申立がなされ、取消理由が通知され、その指定期間内である平成11年12月27日に訂正請求書及び特許異議意見書が提出され、訂正拒絶理由が通知され、その指定期間内である平成12年5月8日に訂正請求書の取下書及び意見書が提出されたものである。
　
２．本件発明
　
　本件請求項1乃至請求項3に係る発明はその特許請求の範囲の請求項１乃至３に記載された事項により特定される以下のとおりのものである。　
　
【請求項１】　
「冷蔵庫に冷蔵室と野菜室と冷凍室を設け、
前記冷蔵室にはその前部に開閉ドアを設け、
前記野菜室には、前記野菜室の両側壁に設けられたレールにより支持され、前記冷蔵庫に対し前後方向に移動可能な引出ドア及び枠体を設け、
前記枠体には野菜を収納する下収納ケースを着脱可能に設け、
前記下収納ケースの上側に前記下収納ケースより浅い上収納ケースを設け、
前記下収納ケースの対向する両側の上端部は、その前部に高位置の上端部と、その後部に前記高位置の上端部より低くした低位置の上端部と、前記高位置の上端部と前記低位置の上端部とをつなぐ段差部とを有し、
前記野菜室の両側壁に前記上収納ケースを支持するための上レールを設け、
前記下収納ケースと前記上収納ケースが引き出された状態では、前記上収納ケースは前記下収納ケースの前記低位置の上端部により支持され、
前記下収納ケースと前記上収納ケースが引き出された状態で前記引出ドアが閉じる方向に押されると、前記段差部で前記上収納ケースが押された状態で閉じられ、
前記野菜室の引出ドアが閉じた状態では、前記上収納ケースは前記上レールにより保持され、さらに前記下収納ケースの前部より前記上収納ケースの前部が所定長さだけ後方に位置することで前記下収納ケースの前部にその後部より高さが高い収納空間が作られ、さらに前記下収納ケースの後部より前記上収納ケースの後部が後方に張り出していることを特徴とする冷蔵庫。」
　
【請求項２】　
「冷蔵庫に冷蔵室と野菜室と冷凍室を設け、
前記冷蔵室にはその前部に開閉ドアを設け、
前記野菜室には、前記野菜室の両側壁に設けられたレールにより支持され、前記冷蔵庫に対し前後方向に移動可能な引出ドア及び枠体を設け、
前記枠体には野菜を収納する下収納ケースを着脱可能に設け、
前記下収納ケースの上側に前回下収納ケースより浅い上収納ケースを設け、
前記下収納ケースの対向する両側の上端部は、その前部に高位置の上端部と、
その後部に前記高位置の上端部より低くした低位置の上端部と、前記高位置の上端部と前記低位置の上端部とをつなぐ段差部とを有し、
前記野菜室の両側壁に前記上収納ケースを支持するための上レールを設け、
前記下収納ケースと前記上収納ケースが引き出された状態では、前記上収納ケースは前記下収納ケースの前記低位置の上端部により支持され、
前記下収納ケースと前記上収納ケースが引き出された状態で前記引出ドアが閉じる方向に押されると、前記段差部で前記上収納ケースが押された状態で閉じられ、
前記野菜室の引出ドアが閉じた状態では、前記上収納ケースは前記上レールにより保持され、さらに前記下収納ケースの前部より前記上収納ケースの前部が所定長さだけ後方に位置することで前記下収納ケースの前部にその後部より高さが高い収納空間が作られ、さらに前記下収納ケースの後部より前記上収納ケースの後部が後方に張り出していて前記引出ドアを閉じた位置から引き出す状態では前記下収納ケースが前記引出ドアと共に引き出され、前記上収納ケースは上記上レールに支持された状態で保持され、さらに前記上収納ケースを引き出すと前記上収納ケースは前記上レールによる支持から前記下収納ケースの低位置の上端部による支持に移ることを特徴とする冷蔵庫。」
　
【請求項３】　
「冷蔵庫の上部に冷蔵室、冷蔵庫の下部に冷凍室、前記冷蔵室と前記冷凍室の間に野菜室をそれぞれ設け、
前記冷凍室の後方に圧縮機、その上方に熱交換器、その上方に冷気送風用のファンを配置し、
前記冷蔵室にはその前部に開閉ドアを設け、
前記野菜室には、前記野菜室の両側壁に設けられたレールにより支持され、前記冷蔵庫に対し前後方向に移動可能な引出ドア及び枠体を設け、
前記冷蔵室の開閉ドアの前面と前記野菜室の引出ドアの前面はそれぞれ冷蔵庫の前面をなし、
前記枠体には野菜を収納する下収納ケースを着脱可能に設け、
前記下収納ケースの上側に前記下収納ケースより浅い上収納ケースを設け、
前記下収納ケースの対向する両側の上端部は、その前部に高位置の上端部と、その後部に前記高位置の上端部より低くした低位置の上端部と、前記高位置の上端部と前記低位置の上端部とをつなぐ段差部とを有し、
前記野菜室の両側壁に前記上収納ケースを支持するための上レールを設け、
前記下収納ケースと前記上収納ケースが引き出された状態では、前記上収納ケースは前記下収納ケースの前記低位置の上端部により支持され、
前記下収納ケースと前記上収納ケースが引き出された状態で前記引出ドアが、閉じる方向に押されると、前記段差部で前記上収納ケースが押された状態で閉じられ、
前記野菜室の引出ドアが閉じた状態では、前記上収納ケースは前記上レールにより保持され、さらに前記下収納ケースの前部より前記上収納ケースの前部が所定長さだけ後方に位置することで前記下収納ケースの前部にはその後部より高さが高い収納空間が作られ、さらに前記下収納ケースの後方に前記ファンが位置するようにしたことを特徴とする冷蔵庫。」
　
３．特許異議申立の理由の概要
　
　特許異議申立人株式会社富士通ゼネラルは、次の証拠を提出し、本件請求項1及び請求項2に記載の特許発明は、甲第1号証に記載された発明であるから特許法29条第1項第3号の規定により、または本件請求項1乃至請求項3に記載の特許発明は甲第1号証及び甲第2号証に記載された発明に基づいて当業者が容易に発明をすることができたので、特許法第29条第2項の規定により特許を受けることができないものであり、本件特許は、特許法第113条第1項第2号のの規定により取り消すべきものである旨主張するものであり、以下の証拠を提出している。
　
　甲第1号証：実願昭59-123152号（実開昭61-38481号）のマイクロフィルム
  甲第2号証：ＳＨＡＲＰサービスマニュアル’80電気冷蔵庫NO.１　ＳＪ−３１０Ｇ，ＳＪ−３１０Ａ　シャープ株式会社　昭和54年8月発行
　
４．甲各号証記載の発明
　
　甲第１号証には、「冷蔵庫本体に引き出し自在に取り付けられた扉と、この扉に取り付けられた枠に着脱自在に保持される上面を開□した下容器と、この下容器の上面に位置し、前記下容器と独立して引き出し自在に設けられた上容器よりなり、前記下容器を保持する前記枠と前記上容器の支持、案内用レールを一体に形成し、かつ前記下容器の上面開□周緑と、前記上容器の底面周縁を相対向する形状に形成するとともに、オーバーラップさせてなる冷蔵庫」（１頁５行〜１３行）〉、「この冷蔵庫本体１は上方から下方へ冷凍室５、冷蔵室６、野菜室７と形成され、夫々扉８、９、１０が取付けられている。そして、冷凍室５及び冷蔵室６の扉８，９は、一側を軸支して横開き方式としている。また、扉１０は野菜室７の側壁に設けられたレール１１に、扉１０の両側から突出した枠１２をローラ１２ａ、１２ｂを介して乗せて、引き出し自在としている」（２頁５行〜１３行）、「レール１１は野菜室７の側壁に内箱３と一体で左右対向して設けてあり、レール１１の上平面１１ａ面は上容器１５の摺動面を構成し、レール１１の下平面１１ｂは扉１０の両端から突出した枠１２の左右のローラ１２ａの摺動面を構成している。レール１１の前部側壁に設けたローラ１２ｂを介して、前記枠１２を支持せしめて、扉１０を引き出し自在としている。下容器１４は側部フランジ面１４ａを枠１２に乗せて扉１０の出し入れにしたがって野菜室７から出し入れされる構成となっている。この様に上容器１５にあっては底面の端部周縁１５ａ を前記レール上平面１１ａに乗せる事とし、前記レール１１の下平面１１ｂには枠１２に乗せる下容器とが一体のレール１１で支持される為、上下方向の組立のバラツキがなく、所定の寸法に規制する事が出来る。又上容器１５にあってはレール１１ａに乗せる摺動部面１５ａが両サイドの為容器内に食品を入れた場合でも、上容器１５のタワミ、変形に影響を受ける事なく、又段差部１５ｂを設ける事により単品の平面度を一定して出すことが出来て、下容器１４の上面開口部フランジ１４ａと、全周ラップさせた状態で隙間１７を所定寸法確保している。又、前記上容器１５のハンドル部１６の下方に常に深さの大なる空間２１を持つ下容器１４の側壁１４ｂは第３図の如く、上容器１４のフランジ１５ｃに相対向した形状とし、上容器１４の底面周縁と下容器の上面周縁が相対向する形状で一定の隙間１７を形成している」（５頁２行〜６頁１０行）、「扉１０を引き出すとレール１１ｂに乗った枠１２が引き出される。この枠１２に下容器１４が載置されているので、下容器１４も出てくる（第１図、４図）。この下容器１４が野菜室７から出て来る事により、ある程度出てくると上容器の突部１５ｄが下容器１４上端１４ｃに当たって上容器１５を前方へ移動させて引き出した位置で止まる。この下容器１４を引き出した状態において上容器１５は冷蔵室扉９の前面９ａの位置となる（第４図）。その為、上容器１５の食品を出したい場合は、ハンドル１６を持ちさらに、上容器１５を引き出せば良いし、不用の場合は手で押し込めば良い」（６頁末行〜７頁１２行）と記載されており、上容器が下容器より浅い点、下容器は前部に高い位置の上端部と後部にそれより低い上端部��その間に段差部がある点、引き出し扉が閉じた状態では上容器は上レールに保持される点、下容器の前部より上容器の前部が後方に位置することで下容器の前部に高さが高い収納空間がつくられる点が図示されており、下容器と上容器が引き出された状態で引き出し扉を閉じる方向に押されると、段差部で上容器が押された状態で閉じられることは図面から明らかである。
　甲第２号証には、上から冷蔵室、野菜室、冷凍室の順に配置した冷蔵庫であり、冷蔵庫の後下方（冷却室の後方）に圧縮機、その上方に熱交換器、その上方に冷気送風用ファンを配置した点が記載されている。
　
　請求項１及び請求項３に係る発明と甲第１号証及び甲第２号証に記載された事項を対比すると、請求項１及び請求項３に係る発明では、下収納ケースと上収納ケースが引き出された状態では、上収納ケースは下収納ケースの低位置の上端部により支持されるようにしたのに対し、甲各号証にはその点が明記されておらず、請求項２に係る発明は上記点に加えて、上収納ケースを引き出すと上収納ケースは上レールによる支持から下収納ケースの低位置の上端部による支持に移るようにしたのに対し、甲各号証にはその点が明記されていない。
　そして、本件特許の請求項１乃至請求項３に係る発明は上記構成を有することにより、明細書記載の作用効果を奏するものである。
　したがって、本件特許の請求項１乃至請求項３に係る発明は甲第１号証に記載された発明と認めることができず、また、本件特許の請求項１乃至３に係る発明が、甲第１号証及び甲第２号証に記載された発明に基づいて本件出願前に当業者が容易に発明をすることができたものであるともいえない。
　
５．むすび
　
　したがって、特許異議の申立の理由及び証拠によっては、本件請求項１乃至請求項３に係る発明の特許を取り消すことはできない。
　また、他に本件請求項１乃至請求項３に係る特許を取り消すべき理由を発見しない。
　
　よって、結論のとおり決定する。
【異議決定日】
平成１２年６月２０日（２０００．６．２０）